(57)【要約】【課題】本発明の課題は、簡便な光ファイバ心線対照方法により、曲げ耐性の有する光ファイバでも心線対照を可能とする光ファイバ心線対照用試験方法を提供することにある。【解決手段】本発明は、光ファイバ３にコイル状に束ねた周期的偏光変化付与部１を設置しておき、前記光ファイバ３の片側からパルス光を入射し、前記パルス光による後方散乱光の偏光成分の時間変化を測定し、前記偏光成分の強度変化の周期に基づき心線対照を行うことを特徴とする。【選択図】図１
2010133902.tif 000002
【特許請求の範囲】
【請求項１】
光ファイバに周期的偏光変化付与部を設置しておき、前記光ファイバの片側からパルス光を入射し、前記パルス光による後方散乱光の偏光成分の時間変化を測定し、前記偏光成分の強度変化の周期に基づき心線対照を行うことを特徴とする光ファイバ心線対照用試験方法。
【請求項２】
光ファイバにコイル状に束ねた周期的偏光変化付与部を設置しておき、前記光ファイバの片側からパルス光を入射し、前記パルス光による後方散乱光の偏光成分の時間変化を測定し、前記偏光成分の強度変化の周期に基づき心線対照を行うことを特徴とする光ファイバ心線対照用試験方法。
【請求項３】
複数の光ファイバ心線に互いに異なる径でコイル状に束ねた周期的偏光変化付与部を設置しておき、前記各光ファイバ心線の片側からパルス光を入射し、前記パルス光による後方散乱光の偏光成分の時間変化を測定し、前記偏光成分の強度変化の周期に基づき心線対照を行うことを特徴とする光ファイバ心線対照用試験方法。
【請求項４】
光ファイバに光スプリッタを接続し、前記光スプリッタにより分岐された複数のスプリッタ下部光ファイバに互いに異なる径でコイル状に束ねた周期的偏光変化付与部を設置しておき、前記光スプリッタの上部からパルス光を入射し、前記パルス光による後方散乱光の偏光成分の時間変化を測定し、前記偏光成分の強度変化の周期に基づき心線対照を行うことを特徴とする光ファイバ心線対照用試験方法。
【請求項５】
周期的偏光変化付与部のコイルの曲げ歪みを開放することで所定の光ファイバを特定することを特徴とする請求項３または４に記載の光ファイバ心線対照用試験方法。
【請求項６】
偏光成分の周期的強度変化が重畳した場合に、フーリエ変換を用いて複数の偏光成分の周期的強度変化成分を分離することを特徴とする請求項３または４に記載の光ファイバ心線対照用試験方法。
【請求項７】
光ファイバに設置されたコイル状に束ねた周期的偏光変化付与部と、
前記光ファイバから光カプラで分岐されて設けられた心線対照用測定装置と、
前記心線対照用測定装置に設けられた前記光ファイバに光パルスを入射する光源と、
前記心線対照用測定装置に設けられた前記光ファイバからの前記光パルスによる後方散乱光の偏光成分を取り出す偏光子と、
前記心線対照用測定装置に設けられ、前記偏光子で取り出された後方散乱光の偏光成分を光電変換する光電変換素子と、
前記心線対照用測定装置に設けられ、前記光電変換素子からの出力が入力され前記後方散乱光の偏光成分の時間変化を測定し、前記偏光成分の強度変化の周期に基づき心線対照を行うパソコンと
を具備することを特徴とする光ファイバ心線対照用試験装置。
【請求項８】
光ファイバに設置されたコイル状に束ねた周期的偏光変化付与部と、
前記光ファイバから光カプラで分岐されて設けられた心線対照用測定装置と、
前記心線対照用測定装置に設けられた前記光ファイバに光パルスを入射する光源と、
前記心線対照用測定装置に設けられた前記光ファイバからの前記光パルスによる後方散乱光の偏光成分を取り出す偏光子と、
前記心線対照用測定装置に設けられ、前記偏光子で取り出された後方散乱光の偏光成分を光電変換する光電変換素子と、
前記心線対照用測定装置に設けられ、前記光電変換素子からの出力が入力され前記後方散乱光の偏光成分の時間変化を測定し、前記偏光成分の強度変化の周期に基づき心線対照を行うパソコンと、
前記パソコンにデータ転送網を介して心線情報・試験指示を与え、前記パソコンからデータ転送網を介して試験結果・対照心線情報を受け取る測定端末と
を具備することを特徴とする光ファイバ心線対照用試験システム。
【発明の詳細な説明】
【技術分野】
【０００１】
本発明は、光ファイバ通信網の建設や保守にあたり、光ファイバ通信網に存在する偏波変動雑音をキャンセルし、光ファイバの曲げ耐性の有無に関わらず光ファイバの特定ができる、光ファイバ心線対照用試験方法及び装置並びにシステムに関するものである。
【背景技術】
【０００２】
光ファイバ通信網の建設や保守にあたり、作業する光ファイバ心線を把握する必要がある。この作業を心線対照と呼ぶ。
【０００３】
図６は従来の光ファイバ心線対照用試験方法を示す構成説明図である。図６に示すように、心線対照を必要とする光ファイバ心線５２の上部側に設置した心線対照用試験光源５１から試験光を入射し、光ファイバ心線５２の下部側では作業心線に曲げ５４を生じさせて、試験光を光ファイバ外へ放射させる。この漏洩光をＰＤ（フォトダイオード）５５で検出する。このときの試験光として通信光よりも長波長を用いることで、通信用波長光には影響を与えず試験光のみを漏洩させることができる。また光線路の上部には光線路に試験光を出入射することを可能にする光カプラ４や、終端側装置１０の直前に試験光のみを遮断し、通信光を透過させる試験光遮断フィルタＦが予め設置され、入射した試験光が通信に影響しない構成を取っている。１１は局側の所内装置である。
【０００４】
【非特許文献１】鎌  光男、青山  浩、田中  浩、小田  泰男著  「Ｄ．Ｉ．Ｙ感覚で光配線を容易にできる曲げフリー光ファイバコードを開発」  ＮＴＴ技術ジャーナル、２００６年４月  ｐ．６５−６７
【非特許文献２】松本  隆男、長瀬  亮、加納  晴生著  「光ファイバ型無限回転波長素子の提案と光波技術への応用」  電子情報通信学会論文誌Ｃ、Ｖｏｌ．Ｊ７０−Ｃ、Ｎｏ．７、１９８７年７月  ｐｐ．１０２１−１０３０
【発明の開示】
【発明が解決しようとする課題】
【０００５】
近年、技術の進歩により従来法では心線対照が困難な問題が生じている。それは、曲げ耐性を有する光ファイバが発明され、曲げによる漏洩光強度が検出限界以下となる問題である。曲げ耐性を有する光ファイバとは、例えば、光閉じ込め効果を実現したホールアシストファイバ（ＨＡＦ）等がある。これらの光ファイバでは、従来の方法で漏洩光を発生させることができず、心線対照ができない。
【０００６】
本発明は上記の事情に鑑みてなされたもので、簡便な光ファイバ心線対照方法により、曲げ耐性を有する光ファイバでも心線対照を可能とする光ファイバ心線対照用試験方法及び装置並びにシステムを提供することを目的とする。
【課題を解決するための手段】
【０００７】
上記目的を達成するために本発明の光ファイバ心線対照用試験方法は、光ファイバに周期的偏光変化付与部を設置しておき、前記光ファイバの片側からパルス光を入射し、前記パルス光による後方散乱光の偏光成分の時間変化を測定し、前記偏光成分の強度変化の周期に基づき心線対照を行うことを特徴とする。
【０００８】
また、本発明の光ファイバ心線対照用試験方法は、光ファイバにコイル状に束ねた周期的偏光変化付与部を設置しておき、前記光ファイバの片側からパルス光を入射し、前記パルス光による後方散乱光の偏光成分の時間変化を測定し、前記偏光成分の強度変化の周期に基づき心線対照を行うことを特徴とする。
【０００９】
また、本発明の光ファイバ心線対照用試験方法は、複数の光ファイバ心線に互いに異なる径でコイル状に束ねた周期的偏光変化付与部を設置しておき、前記各光ファイバ心線の片側からパルス光を入射し、前記パルス光による後方散乱光の偏光成分の時間変化を測定し、前記偏光成分の強度変化の周期に基づき心線対照を行うことを特徴とする。
【００１０】
また、本発明の光ファイバ心線対照用試験方法は、光ファイバに光スプリッタを接続し、前記光スプリッタにより分岐された複数のスプリッタ下部光ファイバに互いに異なる径でコイル状に束ねた周期的偏光変化付与部を設置しておき、前記各スプリッタ下部光ファイバの片側からパルス光を入射し、前記パルス光による後方散乱光の偏光成分の時間変化を測定し、前記偏光成分の強度変化の周期に基づき心線対照を行うことを特徴とする。
【００１１】
また本発明は、前記光ファイバ心線対照用試験方法において、周期的偏光変化付与部のコイルの曲げ歪みを開放することで所定の光ファイバを特定することを特徴とする。
【００１２】
また本発明は、前記光ファイバ心線対照用試験方法において、偏光成分の周期的強度変化が重畳した場合に、フーリエ変換を用いて複数の偏光成分の周期的強度変化成分を分離することを特徴とする。
【００１３】
また、本発明の光ファイバ心線対照用試験装置は、光ファイバに設置されたコイル状に束ねた周期的偏光変化付与部と、前記光ファイバから光カプラで分岐されて設けられた心線対照用測定装置と、前記心線対照用測定装置に設けられた前記光ファイバに光パルスを入射する光源と、前記心線対照用測定装置に設けられた前記光ファイバからの前記光パルスによる後方散乱光の偏光成分を取り出す偏光子と、前記心線対照用測定装置に設けられ、前記偏光子で取り出された後方散乱光の偏光成分を光電変換する光電変換素子と、前記心線対照用測定装置に設けられ、前記光電変換素子からの出力が入力され前記後方散乱光の偏光成分の時間変化を測定し、前記偏光成分の強度変化の周期に基づき心線対照を行うパソコンとを具備することを特徴とするものである。
【００１４】
また、本発明の光ファイバ心線対照用試験システムは、光ファイバに設置されたコイル状に束ねた周期的偏光変化付与部と、前記光ファイバから光カプラで分岐されて設けられた心線対照用測定装置と、前記心線対照用測定装置に設けられた前記光ファイバに光パルスを入射する光源と、前記心線対照用測定装置に設けられた前記光ファイバからの前記光パルスによる後方散乱光の偏光成分を取り出す偏光子と、前記心線対照用測定装置に設けられ、前記偏光子で取り出された後方散乱光の偏光成分を光電変換する光電変換素子と、前記心線対照用測定装置に設けられ、前記光電変換素子からの出力が入力され前記後方散乱光の偏光成分の時間変化を測定し、前記偏光成分の強度変化の周期に基づき心線対照を行うパソコンと、前記パソコンにデータ転送網を介して心線情報・試験指示を与え、前記パソコンからデータ転送網を介して試験結果・対照心線情報を受け取る測定端末とを具備することを特徴とするものである。
【発明の効果】
【００１５】
本発明の光ファイバ心線対照用試験方法及び装置並びにシステムは、光ファイバの曲げ損失の大小に係らず、心線対照を行うことができ、且つ光スプリッタ下部に接続された光ファイバの心線対照も行うことができる。
【発明を実施するための最良の形態】
【００１６】
以下図面を参照して本発明の実施の形態を詳細に説明する。
図１は本発明の第１の実施形態に係る光ファイバ心線対照用試験装置を示す構成説明図である。図１において、１は周期的偏光変化付与部、２は心線対照用測定装置、３は光ファイバ、４は光カプラ、５は光源例えばレーザダイオード（ＬＤ）、６は光カプラ、７は光電変換素子例えばフォトダイオード（ＰＤ）、８は偏光子、９はパソコン（ＰＣ）、１０は終端側装置、１１は所内装置、Ｃは光ファイバケーブル、Ｆはフィルタである。
【００１７】
図１に示すように、局側の所内装置１１は多心光ファイバケーブルＣ内の光ファイバ３によって例えば加入者宅側の終端側装置１０と接続され、通信光を伝送している。心線対照用測定装置２は当該光ファイバ３に対して心線対照試験を行うためのものであり、光カプラ４を用いて光ファイバ３と結合している。心線対照用測定装置２は光カプラ６が光カプラ４の分岐線に接続され、光カプラ６の一方の分岐線がＬＤ５を介してＰＣ９に接続されると共に、光カプラ６の他方の分岐線が偏光子８及びＰＤ７を介してＰＣ９に接続される。
【００１８】
心線対照用測定装置２のＬＤ５から送出された試験光（パルス光）は光カプラ４を介して光ファイバ３へ入射する。このとき、終端側装置１０の前方に通信光のみを透過させるフィルタＦを設置することで、試験光を遮断する。これにより、通信への影響を与えずに心線対照試験が可能になる。
【００１９】
光ファイバ３には周期的偏光変化付与部１が設けられる。周期的偏光変化付与部１は光ファイバ３を直径Ｄ［ｍ］で，コイル状に束ねたものである。光ファイバ３がコイル状にされたことで、曲げ歪みがかからない水平方向（ｐ方向）と曲げ歪みが加わる垂直方向（ｓ方向）との間には屈折率差が生じる。光ファイバ３中を進行する光、並びに後方に散乱する光に含まれるｓ波とｐ波は、前述の比屈折率差によって光ファイバ３中の進行速度に差が生じる。
【００２０】
そのため、試験光の偏光状態は、光ファイバ３の長手方向に向けて変化する。その後、後方に散乱する光は、再び光カプラ４を通り、心線対照用測定装置２へと戻る。心線対照用測定装置２へ入った後方散乱光は光カプラ６を通り偏光子８でｓまたはｐの偏光成分に分離してｓ成分（もしくはｐ成分）を取り出してＰＤ７で光電変換される。その後、ＰＤ７からの出力はＰＣ９に入力され、ＰＣ９を用いてＬＤ５と同期し、横軸にパルス光を送出してから心線対照用測定装置２に戻るまでの時間から換算した距離、縦軸にｓまたはｐの偏光成分の光ファイバ長手方向の強度変化として波形を描く（以下偏波波形と称する）。偏光成分の強度変化周期に基づき心線対照を行う。
【００２１】
このとき、散乱光の偏光変化はＪｏｎｅｓ行列を用いて算出できる。
計算式を以下に示す。
【００２２】
まず、試験光φ０は直線偏光を持つとして
【数１】
2010133902.tif 000003
と表す。Ｊｏｎｅｓ行列Ｔθ，εは
【００２３】
【数２】
2010133902.tif 000004
（但し、θ：入力角、ε：位相進みである。）
となり、ｓ成分を抽出するにはこれらに
【００２４】
【数３】
2010133902.tif 000005
を掛け合わせる。したがって、
【００２５】
【数４】
2010133902.tif 000006
となる。ここで、位相進みεはε＝２β・ｄ２と変換できて、複屈折率差βは、
【００２６】
【数５】
2010133902.tif 000007
ｄ１：クラッド径［ｍ］、ｄ２：光ファイバ長［ｍ］、Ｃｆ：光ファイバ特性定数（材料、屈折率、波長等で決まる定数）、Ｄ：コイル径［ｍ］で表す。
以上から，φｓの偏波強度Ｉｓを求めると、
【００２７】
【数６】
2010133902.tif 000008
となる。
同様に、ｐ成分を抽出するには、Ｔｓ，０を
【００２８】
【数７】
2010133902.tif 000009
に置き換えればよい。したがって、
【００２９】
【数８】
2010133902.tif 000010
となる。
φｐの偏波強度Ｉｐを求めると、
【００３０】
【数９】
2010133902.tif 000011
となる。
ここで、β・ｄ２＝πとすることで１周期の光ファイバ長ｄ２を求めることができる。Ｉｓ，Ｉｐは供に絶対値で計算されるため、見かけ上１周期がπとなる。ｄ２を計算すると
β＝Ｃｆ（ｄ１／Ｄ）２を用いて、
ｄ２＝（π／Ｃｆｄ１２）×Ｄ２となる。
【００３１】
前述式から、周期的偏光変化付与部１で、予めコイル径Ｄを定めることにより任意の強度変化周期を決定でき、心線対照用測定装置２で測定した偏波波形で、この光ファイバ長ｄ２の強度変化周期を確認することで心線対照が可能となる。
【００３２】
図２は本発明の第１の実施形態に係る偏波波形イメージを示す特性図である。例えば、図２に示す波形では、光ファイバ長ｄ２＝０．６ｍの周期が生じていることで、コイル径Ｄ＝４０ｍｍの曲げ歪みが加えられていることがわかる。
【００３３】
尚、光ファイバを外部からの振動等によって対照することも可能であるが、振動変化は散乱光の長手方向強度プロファイルを平均化するとキャンセルされる。本発明の第１の実施形態を用いれば、平均化しても偏光変化は長手方向に一定して依存するので、位置検出も可能となる。さらにこれは、平均化による雑音除去も可能となるメリットがある。完全な直線偏光でない場合は振幅が小さくなるが、同様に対照を行うことが可能である。さらに、ＨＡＦだけでなく、ＳＭＦ（シングルモード型光ファイバ）にも用いることができる。
【００３４】
図３は本発明の第２の実施形態に係る光ファイバ心線対照用試験装置を示す構成説明図である。図３中、図１と同一部分は同一符号を付してその説明を省略する。図３において、１−１〜１−Ｍは周期的偏光変化付与部、１０−１〜１０−Ｍは終端側装置、１２は光スプリッタ、１３−１〜１３−Ｍはスプリッタ下部光ファイバ、Ｆ−１〜Ｆ−Ｍはフィルタである。
【００３５】
本発明の実施形態に係る光ファイバ心線対照用試験方法は周期的偏光変化付与部１−１〜１−Ｍのコイル径に対応して散乱光の周期変化を付与できるので、試験光（パルス光）が等分される光スプリッタ１２下部の心線対照にも用いることができる。スプリッタ下部光ファイバ１３−１〜１３−Ｍを複数同時に心線対照する方法を、図３を用いて説明する。
【００３６】
図３に示すように、所内装置１１は光ファイバ３、光スプリッタ１２及びスプリッタ下部光ファイバ１３−１〜１３−Ｍによって終端側装置１０−１〜１０−Ｍと接続され、通信光を伝送している。
【００３７】
心線対照用測定装置２は、光スプリッタ１２で分岐されたスプリッタ下部光ファイバ１３−１〜１３−Ｍに対して心線対照試験を行うためのものであり、ＬＤ５、光カプラ６、ＰＤ７、偏光子８、ＰＣ９を有する。心線対照用測定装置２は光カプラ４を用いて、光ファイバ通信網と結合している。
【００３８】
ここでスプリッタ下部光ファイバ１３−１〜１３−Ｍの周期的偏光変化付与部１−１〜１−Ｍには、それぞれ異なる直径Ｄ−１〜Ｄ−Ｍでコイル状に束ねた曲げ部を用いる。ただし、これら周期的偏光変化付与部１−１〜１−Ｍは、光スプリッタ１２からの距離を調整し、強度変化周期が重なり合わないように、設置位置を調整する。また、各スプリッタ下部光ファイバ１３−１〜１３−Ｍの周期的偏光変化付与部１−１〜１−Ｍに与えた曲げ径は、心線番号に対応してＰＣ９に記録する。
【００３９】
この光スプリッタ１２を含む光ファイバ線路に対して、光スプリッタ１２上部から試験光（パルス光）を入射する。心線対照用測定装置２から送出された試験光は光カプラ４を用いて光ファイバ通信網へ導入され、光スプリッタ１２により分岐した後、スプリッタ下部光ファイバ１３−１〜１３−Ｍを伝搬する。
【００４０】
スプリッタ下部光ファイバ１３−１〜１３−Ｍで散乱された光は再び光カプラ４を通り、心線対照用測定装置２へと戻る。このときの光ファイバ３中の１偏波方向における散乱光強度変化を、本発明の第１の実施形態と同様に測定する。
【００４１】
例として光スプリッタ１２より下部に光ファイバ１３−１，１３−２，１３−３が割り付けられ、それぞれに周期的偏光変化付与部１−１，１−２，１−３を設置した場合の対照を考える。このときの光スプリッタ１２下部の散乱光を、本発明の第１の実施形態と同様に光ファイバ長−散乱光強度として測定する。
【００４２】
図４（ａ），（ｂ）は本発明の第２の実施形態に係る偏波波形イメージを示す特性図である。図４（ａ）の波形には周期的偏光変化付与部１−１，１−２，１−３に対応する光ファイバ長ｄ２−１，ｄ２−２，ｄ２−３周期の偏光強度変化が生じている。
【００４３】
次に光スプリッタ１２の下部にて、例えば、スプリッタ下部光ファイバ１３−２の心線対照を行う場合、当該心線と思われる光ファイバの周期的偏光変化付与部１−２のコイルの曲げ歪みを開放する。
【００４４】
ここで波形を再び取得すると、図４（ｂ）に示されるように光ファイバ長ｄ２−２周期の偏光強度変化は消滅し、この消滅した光ファイバ長ｄ２−２周期が、予め記録した心線番号と一致し、コイルの曲げ歪みを開放した光ファイバ心線が１３−２であったことが確認できることで所定の光ファイバを特定することができる。
【００４５】
以上の作業より、本発明の第２の実施形態を用いれば心線対照を光スプリッタ下部でも行うことが可能である。
【００４６】
また、光スプリッタ１２から曲げ付与部の周期的偏光変化付与部１−１〜１−Ｍの距離が近接もしくは等しい場合には、偏波変動周期が全て重畳した波形が得られ、偏光成分の周期的強度変化が重畳することになる。この場合は、Ｍ本の周期変化がＯＴＤＲ（光パルス試験器）波形上で重ね合わさるが、この部分をフーリエ変換して複数の偏光成分の周期的強度変化成分を分離することで、線路の有無を確認することが可能である。
【００４７】
本発明の第２の実施形態は、ＳＭＦでも、ＨＡＦにおいても用いることができる。また、本発明の第２の実施形態は、多心光ファイバケーブルの複数の光ファイバ心線にも同様に実施することができる。
【００４８】
図５は本発明の第３の実施形態に係る光ファイバ心線対照用試験システムを示す構成説明図である。図５中、図１と同一部分は同一符号を付してその説明を省略する。図５において、１４は携帯電話、１５はインターネット、１６は心線選択光スイッチ、１７は測定端末である。
【００４９】
図５は本発明の第１の実施形態に係る心線対照用試験方法を用いて、現場の測定地点のみの稼動で心線対照する方法であり、予め光ファイバを収容する設備局内の心線対照用測定装置２と光カプラ４との間に、心線対照する光ファイバ網へ試験光（パルス光）を導く心線選択光スイッチ１２を設置する。心線対照用測定装置２のＰＣ９はインターネット１５及び携帯電話１４よりなるデータ転送網を介して測定端末１７と接続される。
【００５０】
すなわち、測定作業者は周期的偏光変化付与部１の直径を決めてコイル状に束をつくり強度変化周期変動を与え、測定端末１７で測定指示・結果表示をモニタする。測定端末１７は携帯電話１４等を用いてインターネット１５に接続し、心線対照用測定装置２内のＰＣ９にデータ転送網を介して心線情報・試験指示を与え、またＰＣ９からデータ転送網を介して試験結果・対照心線情報を受け取る。測定作業者は設備局内にいる必要はなく、対照を実施する現場の測定地点のみでよい。
【００５１】
尚、本発明の第２の実施形態の場合も同様に光スプリッタ下部の偏光強度変化モニタを、作業箇所で行うことで、設備局内の稼動を省くことができ、現場の測定地点において１名の作業者のみで心線対照することが可能となる。
【００５２】
以上のように本発明の実施形態によれば、光の特定の偏波成分の周期変化を検出することによりインサービスで位置まで特定する心線対照試験を行うことができる。
【００５３】
それにより、曲げ耐性の有無に関わらず光ファイバの故障点位置識別も可能となる。また、周期の情報を恣意的に加えることで光ファイバ通信網に存在する偏波変動雑音をキャンセルすることができる。
【００５４】
さらに、持続的な周期変動を付与することが可能となり、平均化による位置検出ができて、測定ダイナミックレンジを拡大できる。
【００５５】
光スプリッタ下部でも各光ファイバで異なる周期変化で光を散乱させて、測定波形上でスプリッタ下部光ファイバを区別することができる。それにより、光スプリッタ下部の心線対照が可能となる。
【００５６】
以上から、ＨＡＦだけでなく、ＳＭＦにおいてもインサービス下で安定した心線対照試験を実施可能な、心線対照用試験方法及び装置並びにシステムを提供することが可能となる。
【００５７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５８】
【図１】本発明の第１の実施形態に係る光ファイバ心線対照用試験装置を示す構成説明図である。
【図２】本発明の第１の実施形態に係る偏波波形イメージを示す特性図である。
【図３】本発明の第２の実施形態に係る光ファイバ心線対照用試験装置を示す構成説明図である。
【図４】本発明の第２の実施形態に係る偏波波形イメージを示す特性図である。
【図５】本発明の第３の実施形態に係る光ファイバ心線対照用試験システムを示す構成説明図である。
【図６】従来の光ファイバ心線対照用試験方法を示す構成説明図である。
【符号の説明】
【００５９】
１…周期的偏光変化付与部、２…心線対照用測定装置、３…光ファイバ、４…光カプラ、５…レーザダイオード（ＬＤ）、６…光カプラ、７…フォトダイオード（ＰＤ）、８…偏光子、９…パソコン（ＰＣ）、１０…終端側装置、１１…所内装置、Ｃ…光ファイバケーブル、Ｆ…フィルタ。
【図１】
2010133902.tif 000012
【図２】
2010133902.tif 000013
【図３】
2010133902.tif 000014
【図４】
2010133902.tif 000015
【図５】
2010133902.tif 000016
【図６】
2010133902.tif 000017